(57)【特許請求の範囲】
【請求項１】
合成樹脂からなる筺体と、導電パターンを有し、前記筺体に取り付けられたプリント基板と、端子部を有するアンテナとを備え、ネジ孔を有する前記筺体の外周面には、導電皮膜が形成されると共に、前記ネジ孔に形成された前記導電皮膜と前記筺体の外表面に形成された前記導電皮膜とが電気的に絶縁され、前記アンテナの前記端子部が前記導電パターン上に載置されて電気的に接続された状態で、前記プリント基板と共に前記アンテナが前記筺体の前記ネジ孔にネジをねじ込みして取り付けられ、前記筺体と前記プリント基板が携帯電話機のケース内に収納可能としたことを特徴とする送受信ユニット。
【請求項２】
前記筺体には、前記ネジ孔の入口部の全周にわたってテーパー状を成した皮膜削除部を設けて、前記ネジ孔に形成された前記導電皮膜と前記筺体の外表面に形成された前記導電皮膜とを絶縁したことを特徴とする請求項１記載の送受信ユニット。
【発明の詳細な説明】
【０００１】
【発明の属する技術分野】
本発明は、携帯電話機に使用して好適な送受信ユニットに関する。
【０００２】
【従来の技術】
従来の携帯電話機に使用される送受信ユニットを図４、図５に基づいて説明すると、箱形の筺体２１は、軽量化を図るために合成樹脂の成型品で構成され、この筺体２１の外周面には、メッキにより導電皮膜（図示せず）が形成されており、この導電皮膜により、筺体２１内を電気的にシールドすると共に、アース部材としての機能を行わしめている。
また、プリント基板２２は、その表面に導電パターン２３が形成され、プリント基板２２の上下面には、種々の電気部品２４が導電パターン２３に接続されて取り付けられている。
【０００３】
そして、このようなプリント基板２２は、筺体２１の上面に載置された状態で、ネジ２５により筺体２１に取り付けられている。
また、上記のようにして構成された送受信ユニットの筺体２１は、ケース２６内に収納されたマザープリント基板２７上に載置され、ネジ２８によりマザープリント基板２７に取り付けられている。
また、アンテナ２９は、本体部２９ａと、リード部２９ｂとを有し、本体部２９ａは、ケース２６に挟持されて取り付けられ、リード部２９ｂは、プリント基板２２の導電パターン２３ａに半田付けにより接続されている。
そして、リード部２９ａが接続された導電パターン２３ａと、ネジ２５が接続された導電パターン２３ｂとは、非導通となっており、導電パターン２３ｂはアース用となっている。
【０００４】
【発明が解決しようとする課題】
従来の送受信ユニットは、プリント基板２２を筺体２１にネジ２５止めする他に、アンテナ２９のリード部２９ｂを導電パターン２３ａに半田付けする必要があり、生産性が悪く、コスト高になるという問題がある。
また、リード部２９ｂが導電パターン２３ａに半田付けされているため、両者の接続強度が弱く、従って、アンテナ２９の本体部２９ａに大きな外力がかかると、半付けが剥がれるという問題がある。
【０００５】
【課題を解決するための手段】
上記課題を解決するための第１の解決手段として、合成樹脂からなる筺体と、導電パターンを有し、前記筺体に取り付けられたプリント基板と、端子部を有するアンテナとを備え、ネジ孔を有する前記筺体の外周面には、導電皮膜が形成されると共に、前記ネジ孔に形成された前記導電皮膜と前記筺体の外表面に形成された前記導電皮膜とが電気的に絶縁され、前記アンテナの前記端子部が前記導電パターン上に載置されて電気的に接続された状態で、前記プリント基板と共に前記アンテナが前記筺体の前記ネジ孔にネジをねじ込みして取り付けられ、前記筺体と前記プリント基板が携帯電話機のケース内に収納可能とした構成とした。
また、第２の解決手段として、前記筺体には、前記ネジ孔の入口部の全周にわたってテーパー状を成した皮膜削除部を設けて、前記ネジ孔に形成された前記導電皮膜と前記筺体の外表面に形成された前記導電皮膜とを絶縁した構成とした。
【０００６】
【発明の実施の形態】
本発明の送受信ユニットを図１〜図３に基づいて説明すると、図１は本発明の送受信ユニットの要部の分解斜視図、図２は本発明の送受信ユニットの要部の断面図、図３は本発明の送受信ユニットの要部の拡大断面図である。
【０００７】
次に、携帯電話機に使用される本発明の送受信ユニット図１〜図３に基づいて説明すると、箱形の筺体１は、軽量化を図るために合成樹脂の成型品で構成され、この筺体１の上面には、ネジ孔１ａが形成されている。
また、ネジ孔１ａを含む筺体１の外周全面には、メッキにより導電皮膜１ｂが形成されており、この導電皮膜１ｂにより、筺体１内を電気的にシールドすると共に、アース部材としての機能を行わしめている。
また、筺体１には、図３に示すように、ネジ孔１ａの入口部の全周にわたってテーパー状を成した皮膜削除部１ｃが設けられ、この皮膜削除部１ｃにより、筺体１の外表面に形成された導電皮膜１ｂとネジ孔１ａに形成された導電皮膜１ｂとが絶縁された状態となっている。
【０００８】
また、孔２ａを有するプリント基板２は、その表面に導電パターン３が形成され、プリント基板２の上下面には、種々の電気部品４が導電パターン３に接続されて取り付けられている。
また、アンテナ５は、本体部５ａと、本体部５ａに保持された金属板からなる端子部５ｂと、端子部５ｂに設けられた孔５ｃとを有している。
そして、プリント基板２とアンテナ５の取付は、先ず、プリント基板２の孔２ａを筺体１のネジ孔１ａに合わせた状態で、プリント基板２を筺体１の上面に載置し、次いで、アンテナ５の孔５ｃをプリント基板２の孔２ａに合わせて、端子部５ｂを導電パターン３上に載置した後、ネジ６を孔５ａ、２ａに挿通して、ネジ６をネジ孔１ａにねじ込み、端子部５ｂを導電パターン３に圧接させて、アンテナ５とプリント基板２とを筺体１に取り付ける。
そして、アンテナ５がネジ６で筺体１に取り付けられた際、ネジ６がネジ孔１ａに形成された導電皮膜１ｂと導通した状態となるが、この導電皮膜１ｂは、筺体１の外表面に形成されたアース用の導電皮膜１ｂから皮膜削除部１ｃによって絶縁された状態となっている。
【０００９】
また、上記のようにして構成された送受信ユニットの筺体１は、従来と同様に、携帯電話機のケース（図示せず）内に収納されたマザープリント基板（図示せず）上に載置され、ネジ（図示せず）によりマザープリント基板に取り付けられものである。
また、アンテナ５も、従来と同様に、本体部５ａがケースに挟持されて取り付けられるようになっている。
【００１０】
【発明の効果】
本発明の送受信ユニットは、アンテナ５とプリント基板２とが共通のネジ６で筺体１に同時に取り付けられると共に、このネジ６で端子部５ｂが導電パターン３に圧接されるようになっているため、従来に比して、生産性が良好となり、安価な送受信ユニットを提供できる。
また、端子部５ｂがネジ６で取り付けられるため、従来の半田付けによる結合よりも強固な取付ができ、アンテナ５の本体部５ａに大きな外力がかかっても、端子部５ｂと導電パターン３との接続が外れることのない送受信ユニットを提供できる。
【００１１】
また、筺体１の外周面には導電皮膜１ｂを形成しているため、この導電皮膜１ｂにより筺体１内を電気的にシールドできると共に、アース部材としての機能を持たせることができて、性能の良好な送受信ユニットを提供できる。
また、筺体１の外表面に形成された導電皮膜１ｂとネジ孔１ａに形成された導電皮膜１ｂとが絶縁されているため、ネジ６による端子部５ｂの取付時、端子部５ｂは外表面に形成された導電皮膜１ｂと導通することのない送受信ユニットを提供できる。
また、ネジ孔１ａの入口部の全周にわたってテーパー状を成した皮膜削除部１ｃが設けられているため、この皮膜削除部１ｃにより、筺体１の外表面に形成された導電皮膜１ｂとネジ孔１ａに形成された導電皮膜部１ｂとを確実に絶縁できると共に、この皮膜削除部１ｃは、ネジ孔１ａの角部を削ることで形成でき、簡単な構成で絶縁を行うことができる送受信ユニットを提供できる。
【図面の簡単な説明】
【図１】本発明の送受信ユニットの要部の分解斜視図。
【図２】本発明の送受信ユニットの要部の断面図。
【図３】本発明の送受信ユニットの要部の拡大断面図。
【図４】従来の送受信ユニットの要部の断面平面図。
【図５】従来の送受信ユニットの要部の断面側面図。
【符号の説明】
１  筺体
１ａ  ネジ孔
１ｂ  導電皮膜
１ｃ  皮膜削除部
２  プリント基板
２ａ  孔
３  導電パターン
４  電気部品
５  アンテナ
５ａ  本体部
５ｂ  端子部
５ｃ  孔
６  ネジ
【図１】
0003570891.tif 000002
【図２】
0003570891.tif 000003
【図３】
0003570891.tif 000004
【図４】
0003570891.tif 000005
【図５】
0003570891.tif 000006